【手続補正書】
【提出日】令和3年11月29日(2021.11.29)
【手続補正１】
【補正対象書類名】特許請求の範囲
【補正対象項目名】全文
【補正方法】変更
【補正の内容】
【特許請求の範囲】
【請求項１】
撮像素子及び分光素子を備える分光撮像装置により測色を行う測色方法であって、
表示された画像を、前記画像に基づいて設定される波長範囲で、前記分光素子の分光波長を第１波長間隔ごとに変更しながら前記分光撮像装置により撮像し、撮像データを生成する撮像ステップと、
前記撮像ステップにより生成された前記撮像データと、スペクトルの推定に用いる推定行列とに基づき、第１波長間隔より間隔が短い第２波長間隔ごとのスペクトルの推定値を算出する算出ステップと、
前記算出ステップが算出した前記スペクトルの推定値に基づき、表示される画像の元になる画像データを補正する補正パラメーターを生成する生成ステップと、
を備える測色方法。
【請求項２】
前記推定行列は、前記分光撮像装置が撮像した前記撮像データに基づいて算出される、請求項１記載の測色方法。
【請求項３】
前記推定行列は、表示された前記画像を、専用の測定装置により前記第２波長間隔ごとに測定して得た測定データと、前記スペクトルの推定値との二乗誤差を最小とする行列式である、請求項２記載の測色方法。
【請求項４】
前記撮像ステップは、前記分光素子が備える、互いに対向した一対の反射膜間の距離を変更して前記分光素子の分光波長を変更し、前記第１波長間隔ごとに前記撮像データを出力する、請求項１から３のいずれか一項に記載の測色方法。
【請求項５】
前記算出ステップは、前記撮像素子に生じる感度分布を補正する補正データにより補正した前記撮像データと、前記推定行列とに基づき前記推定値を算出する、請求項１から４のいずれか一項に記載の測色方法。
【請求項６】
画像を表示する表示ステップと、
表示された前記画像を、撮像素子及び分光素子を備える分光撮像部により撮像するステップであって、表示された前記画像に基づいて設定される波長範囲で、前記分光素子の分光波長を第１波長間隔ごとに変更しながら前記分光撮像部により撮像して、撮像データを生成する撮像ステップと、
前記撮像ステップにより生成された前記撮像データと、スペクトルの推定に用いる推定行列とに基づき、前記第１波長間隔より間隔が短い第２波長間隔ごとのスペクトルの推定値を算出する算出ステップと、
前記算出ステップが算出した前記スペクトルの推定値に基づき、前記表示ステップで表示させる画像の元になる画像データを補正する補正パラメーターを生成する生成ステップと、
前記表示ステップで表示させる前記画像の元になる画像データを、生成した前記補正パラメーターにより補正する補正ステップと、を有し、
前記補正ステップにより補正した前記画像データに基づく画像を前記表示ステップにより表示させる、画像表示方法。
【請求項７】
撮像素子及び分光素子を備え、表示された画像を撮像して分光撮像データを出力する分光撮像部と、
前記分光素子の分光波長を、表示された前記画像に基づいて設定される波長範囲内で、第１波長間隔ごとの分光波長に設定し、前記分光撮像部に撮像データを生成させる制御部と、スペクトルの推定に用いる推定行列を記憶する記憶部と、
前記分光撮像部が出力した前記撮像データと、前記推定行列とに基づき、前記第１波長間隔よりも間隔が短い第２の波長間隔ごとのスペクトルの推定値を算出する推定値算出部と、
前記推定値算出部が算出した前記推定値に基づき、画像データを補正する補正パラメーターを生成する生成部と、
を備える、測色装置。
【請求項８】
画像を表示する表示部と、
撮像素子及び分光素子を備え、前記画像を撮像して分光撮像データを出力する分光撮像部と、
前記分光素子の分光波長を、前記画像に基づいて設定される波長範囲内で、第１波長間隔ごとに設定し、前記分光撮像部に撮像データを生成させる制御部と、
スペクトルの推定に用いる推定行列を記憶する記憶部と、
前記分光撮像部が出力した前記撮像データと、前記推定行列とに基づき、前記第１波長間隔よりも間隔が短い第２の波長間隔ごとのスペクトルの推定値を算出する推定値算出部と、
前記推定値算出部が算出した前記推定値に基づき、画像データを補正する補正パラメーターを生成する生成部と、
前記生成部が生成した前記補正パラメーターにより前記画像データを補正する画像処理部と、
を備える画像表示装置。
【請求項９】
画像を表示する表示装置と、前記画像を測色する測色装置とを備え、
前記測色装置は、
撮像素子及び分光素子を備え、前記画像を撮像して分光撮像データを出力する分光撮像部と、
前記分光素子の分光波長を、前記画像に基づいて設定される波長範囲内で、第１波長間隔ごとに設定し、前記分光撮像部に撮像データを生成させる制御部と、
スペクトルの推定に用いる推定行列を記憶する記憶部と、
前記分光撮像部が出力した前記撮像データと、前記推定行列とに基づき、前記第１波長間隔よりも間隔が短い第２波長間隔ごとのスペクトルの推定値を算出する推定値算出部と、
前記推定値算出部が算出した前記推定値に基づき、画像データを補正する補正パラメーターを生成する生成部と、を備える、
画像表示システム。
【請求項１０】
画像を表示する第１表示部と、
第１撮像素子及び第１分光素子を備え、前記第１表示部が表示した前記画像を撮像して分光撮像データを出力する第１分光撮像部と、
前記第１分光素子の分光波長を、前記第１表示部が表示した前記画像に基づいて設定される波長範囲内で、第１波長間隔ごとに設定し、前記第１分光撮像部に撮像データを生成させる第１制御部と、
スペクトルの推定に用いる推定行列を記憶する第１記憶部と、
前記第１分光撮像部が出力した撮像データと、前記推定行列とに基づき、前記第１波長間隔よりも間隔が短い第２の波長間隔ごとのスペクトルの推定値を算出する第１推定値算出部と、を備える第１表示装置と、
画像を表示する第２表示部と、
第２撮像素子及び第２分光素子を備え、前記第２表示部が表示した前記画像を撮像して分光撮像データを出力する第２分光撮像部と、
前記第２分光素子の分光波長を、前記第２表示部が表示した前記画像に基づいて設定される波長範囲内で、前記第１波長間隔ごとに設定し、前記第２分光撮像部に撮像データを生成させる第２制御部と、
スペクトルの推定に用いる推定行列を記憶する第２記憶部と、
前記第２分光撮像部が出力した撮像データと、前記推定行列とに基づき、前記第２の波長間隔ごとのスペクトルの推定値を算出する第２推定値算出部と、を備える第２表示装置と、を有し、
前記第１制御部は、前記第１推定値算出部が算出した前記スペクトルの推定値と、前記第２推定値算出部が算出した前記スペクトルの推定値とに基づき、前記第１表示装置が表示する画像の元となる画像データを補正する第１補正パラメーターを生成し、前記第２表示装置が表示する画像の元となる画像データを補正する第２補正パラメーターを生成する、画像表示システム。
【手続補正２】
【補正対象書類名】明細書
【補正対象項目名】０００６
【補正方法】変更
【補正の内容】
【０００６】
上記測色方法において、前記推定行列は、前記分光撮像装置が撮像した前記撮像データに基づいて算出される構成であってもよい。
【手続補正３】
【補正対象書類名】明細書
【補正対象項目名】００１１
【補正方法】変更
【補正の内容】
【００１１】
上記課題を解決する別の一態様は、撮像素子及び分光素子を備え、表示された画像を撮像して分光撮像データを出力する分光撮像部と、前記分光素子の分光波長を、表示された前記画像に基づいて設定される波長範囲内で、第１波長間隔ごとの分光波長に設定し、前記分光撮像部に撮像データを生成させる制御部と、スペクトルの推定に用いる推定行列を記憶する記憶部と、前記分光撮像部が出力した前記撮像データと、前記推定行列とに基づき、前記第１波長間隔よりも間隔が短い第２の波長間隔ごとのスペクトルの推定値を算出する推定値算出部と、前記推定値算出部が算出した前記推定値に基づき、画像データを補正する補正パラメーターを生成する生成部と、を備える、測色装置である。
【手続補正４】
【補正対象書類名】明細書
【補正対象項目名】００１２
【補正方法】変更
【補正の内容】
【００１２】
上記課題を解決する別の一態様は、画像を表示する表示部と、撮像素子及び分光素子を備え、前記画像を撮像して分光撮像データを出力する分光撮像部と、前記分光素子の分光波長を、前記画像に基づいて設定される波長範囲内で、第１波長間隔ごとに設定し、前記分光撮像部に撮像データを生成させる制御部と、スペクトルの推定に用いる推定行列を記憶する記憶部と、前記分光撮像部が出力した前記撮像データと、前記推定行列とに基づき、前記第１波長間隔よりも間隔が短い第２の波長間隔ごとのスペクトルの推定値を算出する推定値算出部と、前記推定値算出部が算出した前記推定値に基づき、画像データを補正する補正パラメーターを生成する生成部と、前記生成部が生成した前記補正パラメーターにより前記画像データを補正する画像処理部と、を備える画像表示装置である。
【手続補正５】
【補正対象書類名】明細書
【補正対象項目名】００１３
【補正方法】変更
【補正の内容】
【００１３】
上記課題を解決する別の一態様は、画像を表示する表示装置と、前記画像を測色する測色装置とを備え、前記測色装置は、撮像素子及び分光素子を備え、前記画像を撮像して分光撮像データを出力する分光撮像部と、前記分光素子の分光波長を、前記画像に基づいて設定される波長範囲内で、第１波長間隔ごとに設定し、前記分光撮像部に撮像データを生成させる制御部と、スペクトルの推定に用いる推定行列を記憶する記憶部と、前記分光撮像部が出力した前記撮像データと、前記推定行列とに基づき、前記第１波長間隔よりも間隔が短い第２波長間隔ごとのスペクトルの推定値を算出する推定値算出部と、前記推定値算出部が算出した前記推定値に基づき、画像データを補正する補正パラメーターを生成する生成部と、を備える、画像表示システムである。
【手続補正６】
【補正対象書類名】明細書
【補正対象項目名】０１３９
【補正方法】変更
【補正の内容】
【０１３９】
分光撮像部４２０は、図１及び図２に示したプロジェクター１００の分光撮像部１３７と同一の構成を備える。分光撮像部４２０の構成の詳細についての説明は省略する。分光撮像部４２０は、制御部４３０の制御に従って分光波長λｉを変更しながら調整用画像を撮像し、分光撮像データを出力する。測色装置４００は、スクリーンＳＣを含む範囲を撮像可能な位置に設置される。
【手続補正７】
【補正対象書類名】明細書
【補正対象項目名】０１４１
【補正方法】変更
【補正の内容】
【０１４１】
撮像制御部４５１は、分光撮像部４２０を制御して、分光撮像部４２０に撮像データを生成させる。また、撮像制御部４５１は、スクリーンＳＣに投射された調整用画像の色を示す色情報をプロジェクター１００Ｃから受信し、受信した色情報に基づき分光撮像部１３７に撮像させる波長範囲を決定する。撮像制御部４５１は、波長範囲を決定すると、決定した波長範囲内で、分光波長λｉを第１波長間隔で変更しながら分光撮像部４２０に撮像を実行させる。
【手続補正８】
【補正対象書類名】明細書
【補正対象項目名】０１５１
【補正方法】変更
【補正の内容】
【０１５１】
制御部４３０は、画質調整の開始通知を受信した場合（ステップＷ１／ＹＥＳ）、スクリーンＳＣに表示させた調整用画像の色及び階調の情報をプロジェクター１００Ｃから受信したか否かを判定する（ステップＷ２）。制御部４３０は、調整用画像の色及び階調の情報をプロジェクター１００Ｃから受信していない場合（ステップＷ２／ＮＯ）、ステップＷ８の判定に移行する。
【手続補正９】
【補正対象書類名】明細書
【補正対象項目名】０１５９
【補正方法】変更
【補正の内容】
【０１５９】
プロジェクター１００Ｄは、マスター機として動作し、プロジェクター１００Ｅはスレーブ機として動作する。すなわち、プロジェクター１００Ｅは、プロジェクター１００Ｄの制御に従って動作する。マスター機であるプロジェクター１００Ｄは、プロジェクター１００Ｅに、第１実施形態で説明した３刺激値の算出を指示したり、補正パラメーターを生成してプロジェクター１００Ｅに送信したりする。
【手続補正１０】
【補正対象書類名】明細書
【補正対象項目名】０１６０
【補正方法】変更
【補正の内容】
【０１６０】
プロジェクター１００Ｄが画像光を投射する領域を投射領域１０Ｄといい、プロジェクター１００Ｅが画像光を投射する領域を投射領域２０Ｅという。投射領域１０Ｄと投射領域２０Ｅとは、領域の一部が重なる。
【手続補正１１】
【補正対象書類名】明細書
【補正対象項目名】０１６１
【補正方法】変更
【補正の内容】
【０１６１】
プロジェクター１００Ｄ、１００Ｅは、スクリーンＳＣに調整用画像を表示させ、測色装置４００は、表示された調整用画像を分光撮像部４２０により撮像して分光撮像データを生成する。補正パラメーターの生成は、プロジェクター１００Ｄ、１００Ｅが行ってもよいし、測色装置４００が行ってもよい。測色装置４００は、生成した分光撮像データをプロジェクター１００Ｄ、１００Ｅに送信してもよいし、分光撮像データに基づいて補正パラメーターを生成し、生成した補正パラメーターをプロジェクター１００Ｄ、１００Ｅに送信してもよい。
測色装置４００は、スクリーンＳＣを含む範囲を撮像可能な位置に設置される。測色装置４００は、プロジェクター１００Ｄが調整用画像を投射する場合は、投射領域１０Ｄを撮像し、プロジェクター１００Ｅが調整用画像を投射する場合は、投射領域２０Ｅを撮像する。